【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
骨折した対象の骨の高さを復元するように構成された拡張型インプラントであって、
複数の縦列に配置されたリンクの少なくとも１つの環状横列を形成するように連結された複数のリンクを備えた本体であって、各環状横列は横列方向に沿って延び、上記各リンクは、対応する第１端部及び第２端部により連結された対向する第１側部及び第２側部を形成し、上記第１側部及び第２側部は、上記リンクが挿入形態から拡張形態に上記本体を拡張させる拡張力を受けたとき第１距離から第２距離に距離が増大するようにこの第１側部と第２側部との間の距離を規定し、上記第２距離は上記第１距離よりも長い、上記本体を有し、
上記複数のリンクは、少なくとも上記縦列の第１列に配置された第１リンクと、上記縦列の第２列に配置された第２リンクとを備え、これらの第１列及び第２列はそれぞれ横列方向に沿って単一リンクの厚さを有し、第１リンクは、上記拡張力により第１リンクが第２リンクよりも大きく拡張するように、これらの複数のリンクのうち少なくとも第２リンクとは異なる大きさとなっており、これらの第１列及び第２列は同数のリンクを規定する、拡張型インプラント。
【請求項２】
上記リンクは、直接的に相互に連結されている請求項１に記載の拡張型インプラント。
【請求項３】
上記リンクは、間接的に相互に連結されている請求項１に記載の拡張型インプラント。
【請求項４】
上記本体は、この本体が挿入形態であるとき、ほぼ円筒形である請求項１に記載の拡張型インプラント。
【請求項５】
上記本体は、この本体が拡張形態であるとき、非対称形状である請求項１に記載の拡張型インプラント。
【請求項６】
上記本体は、この本体が拡張形態であるとき、湾曲している請求項５に記載の拡張型インプラント。
【請求項７】
上記第１リンクの側部は、上記第２リンクの側部よりも長い請求項５に記載の拡張型インプラント。
【請求項８】
上記第１側部及び上記第２側部は、ほぼ直線である請求項１に記載の拡張型インプラント。
【請求項９】
上記第１側部及び上記第２側部は、相互にほぼ平行である請求項１に記載の拡張型インプラント。
【請求項１０】
上記端部は、上記側部の間で湾曲している請求項１に記載の拡張型インプラント。
【請求項１１】
上記距離は、周方向距離である請求項１に記載の拡張型インプラント。
【請求項１２】
上記本体は、このインプラント本体に対して拡張力を加えるために充填材を収容するように形成された拡張装置を介して、相互に連結されるように構成された複数の別々の個別リンクを有する請求項１に記載の拡張型インプラント。
【請求項１３】
このインプラントは背骨用インプラントである請求項１に記載の拡張型インプラント。
【請求項１４】
対象の骨にインプラントを挿入するように構成された拡張型インプラント組立体であって、
内部空洞を形成するインプラント本体であって、このインプラント本体は、横列方向に沿って延びる少なくとも１つの環状横列を形成するように相互に連結された複数のリンクを備え、この横列は、縦列方向に沿って延びる複数の縦列を形成するように配置され、各縦列は、縦列方向に沿って反対側にある第１末端部及び第２末端部を形成し、リンクは、少なくとも、縦列の第１列に配置された複数の第１リンクと、上記縦列の第２列に配置された複数の第２リンクとを備え、各第１リンクは縦列方向に沿って第１の長さを規定し、各第２リンクは縦列方向に沿って第２の長さを規定し、第２の長さは第１の長さよりも短く、したがって第１リンクは第２リンクとは異なる拡張特性を有し、各第２リンクは縦列方向に沿って第１末端部から第２末端部まで相互に取り付けられる上記インプラント本体と、
内部空洞内に配置される大きさの拡張型ブラッダーであって、このブラッダーは、拡張材料がこのブラッダーに対して拡張力を加え、それにより、上記第１リンクを上記第２リンクよりも大きく拡張させるように上記インプラント本体に対して拡張力を加えるように、拡張材料を収容するように構成された内腔を形成する上記ブラッダーと、を有する拡張型インプラント組立体。
【請求項１５】
上記ブラッダーは、各ジョイントの周囲で相互にヒンジ接続された複数の分割部と、この複数の分割部上に隔置された複数のリンクを備えた上記インプラント本体と、を備える請求項１４に記載の拡張型インプラント組立体。
【請求項１６】
上記対象の骨は椎体である請求項１４に記載の拡張型インプラント組立体。
【請求項１７】
対象の骨の骨折部位にインプラントを挿入するように構成されたインプラントシステムであって、
内部空洞を形成する円周方向拡張型インプラント本体を有し、このインプラント本体は、複数の縦列に配置されたリンクの少なくとも１つの環状横列を形成するように連結された複数のリンクを備え、各縦列は、縦列方向に沿って延び、縦列方向に沿って反対側にある第１末端部及び第２末端部を形成し、各環状横列は横列方向に沿って延び、上記リンクのうち少なくとも第１リンクは、拡張力が拡張材料から上記インプラント本体に加えられるとき、第１リンクが第２リンクよりも大きく拡張するように、上記リンクのうち少なくとも第２リンクとは異なる拡張特性を有し、少なくとも１つの第１リンクは第１縦列に配置され、少なくとも１つの第２リンクは第１縦列と円周方向に向かい合う第２縦列に配置され、
上記インプラント本体は、（１）第１縦列及び第２縦列が、それぞれ、横列方向に沿って単一リンクの厚さを有し且つ同数のリンクを含むように、又は、（２）第１縦列及び第２縦列が、それぞれ、縦列方向に沿って第１末端部から第２末端部まで相互に取り付けられた複数のリンクを含むように構成され、
さらに、対象の骨を切断するように構成された切断刃を備えた開口装置を有し、この開口装置は、近位端及び反対側の遠位端を備えたカニューレを形成し、上記カニューレは、上記遠位端が骨折部位に近接配置されたときに上記インプラント本体をこの骨折部位に誘導するようにこのインプラント本体を収容するように構成されたガイドパスを形成する、インプラントシステム。
【請求項１８】
更に、内部空洞内に配置される大きさの拡張型ブラッダーであって、拡張材料がこのブラッダーに対して拡張力を加え、それにより、上記第１リンクを上記第２リンクよりも大きく拡張させるように上記インプラント本体に対して拡張力を加えるように、拡張材料を収容するように構成された内腔を形成する上記ブラッダーを有する請求項１７に記載のインプラントシステム。
【請求項１９】
更に、骨の残余部分から骨片を分離するように上記対象の骨の切骨術を行うように構成された切断装置を有する請求項１８に記載のインプラントシステム。
【請求項２０】
上記切断装置は、複数の歯と、この歯がカバーされる第１位置及び歯が保護スリーブを貫通して延びる第２位置を前提として構成された保護スリーブと、を備える請求項１９に記載のインプラントシステム。
【請求項２１】
上記切断装置は、上記カニューレに収容される大きさのガイドワイヤを備える請求項１９に記載のインプラントシステム。
【請求項２２】
上記第２リンクは、縦列方向に沿って直接的に相互に取り付けられている請求項１４に記載の拡張型インプラント組立体。
【請求項２３】
上記本体は、隣接する上記第２リンクが間接的に相互に取り付けられるように、縦列方向に沿って隣接する第２リンク間に取り付けられる複数の腕を備える、請求項１４に記載の拡張型インプラント組立体。
【請求項２４】
上記第１リンクと上記第２リンクとは、同じ横列に配置される請求項１に記載の拡張型インプラント。
【請求項２５】
上記少なくとも１つの環状横列は、複数の横列の第１横列であり、上記第１リンク及び上記第２リンクは、異なる横列に配置される請求項１に記載の拡張型インプラント。
【請求項２６】
上記インプラント本体は、（１）第１縦列及び第２縦列が、それぞれ、横列方向に沿って単一リンクの厚さを有し且つ同数のリンクを含むように、及び、（２）第１縦列及び第２縦列が、それぞれ、縦列方向に沿って第１末端部から第２末端部まで相互に取り付けられた複数のリンクを含むように構成された、請求項１７に記載のインプラントシステム。